(57)【要約】【課題】  部品点数が少なくメンテナンスの容易な構成で、テンプルをヨロイに対して普通に開いた状態から更に外方へ押し広げる際に弾性力が作用し得る丁番構造を提供する。【解決手段】  丁番構造１は、係合部材１１と弾性部材１２と付勢部材１３とを備える。係合部材は、テンプルＴの基端部から内側に向けて延設されると共に、延設方向先端に係合部１１１を具備する。弾性部材は、先端部がテンプルに取り付けられ、基端部に係合部材を挿通する挿通孔１２１を具備すると共に、基端部がテンプルの回動方向内側に向けてテンプルから離間するように配置されている。付勢部材は、基端部がヨロイＥに取り付けられ、先端部に係合部材を挿通する挿通孔１３１と、係合部材の係合部と係合する係止部とを具備すると共に、先端部が弾性部材の基端部に対して内側で重なり合うように配置されている。【選択図】    図２
0003116327.tif 000002
【実用新案登録請求の範囲】
【請求項１】
眼鏡フレームを構成するヨロイとテンプルとの間に介設され、前記テンプルを前記ヨロイに対して回動自在に連結するための丁番構造であって、
係合部材と、弾性部材と、付勢部材とを備え、
前記係合部材は、前記テンプルの基端部から前記テンプルの回動方向内側に向けて延設されると共に、延設方向先端に係合部を具備し、
前記弾性部材は、先端部が前記テンプルに取り付けられ、基端部に前記係合部材を前記テンプルの回動方向に回動可能に挿通する挿通孔を具備すると共に、前記基端部が前記テンプルの回動方向内側に向けて前記テンプルから離間するように配置され、
前記付勢部材は、基端部が前記ヨロイに取り付けられ、先端部に前記係合部材を前記テンプルの回動方向に回動可能に挿通する挿通孔と、前記係合部材の係合部と係合する係止部とを具備すると共に、前記先端部が前記弾性部材の基端部に対して前記テンプルの回動方向内側で重なり合うように配置されていることを特徴とする眼鏡フレーム用丁番構造。
【請求項２】
前記係合部材の係合部と前記付勢部材の係止部とは、着脱自在に係合することを特徴とする請求項１に記載の眼鏡フレーム用丁番構造。
【請求項３】
請求項１又は２に記載の丁番構造を備えることを特徴とする眼鏡フレーム。
【考案の詳細な説明】
【技術分野】
【０００１】
本考案は、眼鏡フレームを構成するヨロイとテンプルとの間に介設され、前記テンプルを前記ヨロイに対して回動自在に連結するための丁番構造及びこの丁番構造を備えた眼鏡フレームに関する。
【背景技術】
【０００２】
従来より、眼鏡フレームのテンプルをヨロイに対して回動自在に連結するための丁番構造として、種々のものが提案されている。
【０００３】
その内、いわゆるバネ丁番と称される丁番構造は、眼鏡フレームのテンプルとヨロイとをヒンジ連結する丁番にバネ機構（コイルバネ、板バネ等）を組み込んだものである。斯かるバネ丁番を用いれば、テンプルを普通に開いた状態からバネ機構による弾性力に抗して更に外方へ無理なく押し広げた後に眼鏡フレームを装着することができる一方、装着後には前記弾性力によってテンプルが眼鏡フレーム装着者の側頭部を適度に締め付けるため、確実に眼鏡フレームを装着できるという利点を有する。
【０００４】
しかしながら、以上のようなバネ丁番と称される丁番構造の多くは、バネ機構が丁番（コマ部品）に内蔵されたものであるため、どうしても構成が複雑化し、組み立て作業やメンテナンスに手間を要するという問題があった。
【０００５】
そこで、斯かる問題を解決するべく、バネ機構が丁番（コマ部品）の外部に設けられたバネ丁番が提案されている（例えば、特許文献１参照）。より具体的に説明すれば、特許文献１に開示されたバネ丁番は、テンプルの基端側に円筒状のスライダーとコイルバネとが各々進退可能に被嵌されており、テンプルの所定位置に形成した雄ねじ部分に、内周に雌ねじを有する円筒状のストッパーが螺着されている。そして、前記ストッパーによりコイルバネの一端を支えるようにしながらコイルバネを圧縮させ、この圧縮状態のコイルバネの弾性付勢力を利用することによって、ヨロイの端部に取り付けられたコマ部品の先端部に形成されたカム面に対し、前記スライダーを付勢状態で接触させる構成とされている。斯かる構成により、スライダーとコマ部品のカム面とが協働し、ヨロイに対してテンプルを所要の開閉位置で弾性的に保持可能とされている。
【０００６】
斯かる構成を有する特許文献１に記載のバネ丁番によれば、バネ機構（コイルバネ）がコマ部品の外部に取り付けられているため、コマ部品の内部にバネ機構を取り付ける場合に比べれば構成が簡素化されるという利点を有する。しかしながら、コマ部品の先端部にカム面を形成する必要がある他、必要な部品点数も多いため、やはり組み立て作業やメンテナンスに手間を要するという課題は十分に解決されないという問題がある。
【０００７】
また、特許文献１に記載のバネ丁番は、コマ部品同士の連結にネジを用いているため、テンプルの回動動作を繰り返すことによってネジに緩みが生じ、定期的に締め直す必要があるという点でもメンテナンスに手間を要する。
【特許文献１】実用新案登録第３０２２９４４号公報
【考案の開示】
【考案が解決しようとする課題】
【０００８】
本考案は、斯かる従来技術の問題点を解決するべくなされたものであり、部品点数が少なくメンテナンスの容易な構成で、テンプルをヨロイに対して普通に開いた状態から更に外方へ押し広げる際に弾性力が作用し得る丁番構造及びこの丁番構造を備えた眼鏡を提供することを課題とする。
【課題を解決するための手段】
【０００９】
前記課題を解決するべく、本考案は、眼鏡フレームを構成するヨロイとテンプルとの間に介設され、前記テンプルを前記ヨロイに対して回動自在に連結するための丁番構造であって、係合部材と、弾性部材と、付勢部材とを備え、前記係合部材は、前記テンプルの基端部から前記テンプルの回動方向内側に向けて延設されると共に、延設方向先端に係合部を具備し、前記弾性部材は、先端部が前記テンプルに取り付けられ、基端部に前記係合部材を前記テンプルの回動方向に回動可能に挿通する挿通孔を具備すると共に、前記基端部が前記テンプルの回動方向内側に向けて前記テンプルから離間するように配置され、前記付勢部材は、基端部が前記ヨロイに取り付けられ、先端部に前記係合部材を前記テンプルの回動方向に回動可能に挿通する挿通孔と、前記係合部材の係合部と係合する係止部とを具備すると共に、前記先端部が前記弾性部材の基端部に対して前記テンプルの回動方向内側で重なり合うように配置されていることを特徴とする眼鏡フレーム用丁番構造を提供するものである。
【００１０】
本考案に係る丁番構造は、テンプルの基端部からテンプルの回動方向内側に向けて延設された係合部材が、ヨロイに取り付けられた付勢部材の挿通孔に回動可能に挿通されると共に、係合部材（係合部材先端の係合部）と付勢部材（付勢部材の係止部）とが係合するように構成されている。従って、本考案に係る丁番構造を用いた眼鏡フレームのテンプルは、該テンプルから延設された係合部材と、該係合部材に係合する付勢部材とを介してヨロイに連結されることになる。そして、係合部材が付勢部材の挿通孔に回動可能に挿通されるため、テンプルをヨロイに対して回動させることが可能である。
【００１１】
また、本考案に係る丁番構造は、先端部がテンプルに取り付けられ、基端部に係合部材をテンプルの回動方向に回動可能に挿通する挿通孔を具備すると共に、基端部がテンプルの回動方向内側に向けてテンプルから離間するように配置された弾性部材を備え、付勢部材の先端部が弾性部材の基端部に対してテンプルの回動方向内側で重なり合うように配置されている。換言すれば、本考案に係る丁番構造を眼鏡フレームに用いた場合、テンプルの回動方向に沿って、テンプルと付勢部材との間に弾性部材が介在する構成となっている。従って、テンプルを普通に開いた状態から更に外側へ押し広げた場合、付勢部材によって弾性部材が外側へ押圧され、テンプルとの離間距離が短くなるように弾性部材が変形するため、弾性復元力（弾性力）が作用することになる。この弾性力により、テンプルは普通に開いた元の状態に戻ろうとする。
【００１２】
以上のように、本考案によれば、部品点数の少ない簡素な構成（係合部材、弾性部材及び付勢部材で構成される）で、テンプルをヨロイに対して普通に開いた状態から更に外方へ押し広げる際に弾性力が作用し得る丁番構造が得られる。このため、弾性部材の弾性力に抗して外方へ無理なく押し広げた後に眼鏡フレームを装着することができる一方、装着後には前記弾性力によってテンプルが眼鏡フレーム装着者の側頭部を適度に締め付けるため、確実な眼鏡フレームの装着が可能になるという利点を有する。なお、本考案において「基端部」とは、丁番構造を眼鏡フレームに適用した場合における前枠側の端部を意味し、「先端部」とは前記前枠側とは反対側の端部を意味する。
【００１３】
ここで、近年の眼鏡フレームに対するファッション性、デザイン性等の装飾機能重視の傾向に鑑みれば、テンプルを容易に取り替え可能にすることが好ましい。従って、好ましくは、前記係合部材の係合部と前記付勢部材の係止部とが、着脱自在に係合する構成とされる。
【００１４】
斯かる好ましい構成によれば、係合部材と付勢部材とが着脱自在であるため、係合部材が延設されたテンプルを、付勢部材が取り付けられたヨロイから容易に着脱することができる。従って、予め各種の装飾が施されたテンプルを複数用意しておき、この中から、ＴＰＯ（時（Time）、所（Place）、場合（Occasion））に併せて好みのテンプルを選択して、容易に取り替えることができるという利点が得られる。
【００１５】
なお、本考案は、前記丁番構造を備えることを特徴とする眼鏡フレームとしても提供される。
【考案の効果】
【００１６】
本考案に係る丁番構造及びこの丁番構造を備えた眼鏡フレームによれば、部品点数の少ない簡素な構成で、テンプルをヨロイに対して普通に開いた状態から更に外方へ押し広げる際に弾性力が作用し得る丁番構造が得られる。このため、弾性部材の弾性力に抗して外方へ無理なく押し広げた後に眼鏡を装着することができる一方、装着後には前記弾性力によってテンプルが眼鏡フレーム装着者の側頭部を適度に締め付けるため、確実な眼鏡フレームの装着が可能になるという利点を有する。
【考案を実施するための最良の形態】
【００１７】
以下、添付図面を参照しつつ、本考案の実施形態について説明する。
【００１８】
図１は、本考案の一実施形態に係る丁番構造を眼鏡フレームに取り付けた状態を示す平面である。図２は、図１に示す丁番構造の近傍を拡大して示す平面図である。図３は、図２に示す付勢部材の先端部を矢符Ｘの方向から見た図である。図４は、図２に示す弾性部材の基端部を矢符Ｘの方向から見た図である。図１〜図４に示すように、本実施形態に係る丁番構造１は、眼鏡フレーム１００を構成するヨロイＥとテンプルＴとの間に介設され、係合部材１１と、弾性部材１２と、付勢部材１３とを備えており、テンプルＴをヨロイＥに対して回動自在に連結するように構成されている。
【００１９】
係合部材１１は、テンプルＴの基端部からテンプルＴの回動方向内側に向けて延設されると共に、延設方向先端に係合部１１１を具備している。本実施形態に係る係合部材１１は、テンプルＴの回動方向内側の部分が長くなるように、テンプルＴに設けられた孔Ｔ１に嵌入され、ロウ付けや接着材等によって固定された形態とされている。また、本実施形態に係る係合部１１１は、フック状の形態とされている。
【００２０】
弾性部材１２は、先端部がテンプルＴに取り付けられている。本実施形態に係る弾性部材１２の先端部は、ロウ付けや接着材等によってテンプルＴに固定された形態とされているが、ネジ止めによって固定することも可能である。弾性部材１２は、基端部に係合部材１１をテンプルＴの回動方向に回動可能に挿通する挿通孔１２１を具備している。より具体的に説明すれば、テンプルＴの回動に伴い、テンプルＴに取り付けられた係合部材１１も回動することになるが、弾性部材１２の挿通孔１２１は、この係合部材１１の回動動作を妨げることのない寸法、すなわち回動動作によって係合部材１１が移動する範囲以上の寸法とされている。弾性部材１２の基端部は、テンプルＴの回動方向内側に向けてテンプルＴから離間するように配置されている。より具体的に説明すれば、本実施形態に係る弾性部材１２は、先端部から基端部に向けてテンプルＴから離間するように屈曲した形状とされている。
【００２１】
付勢部材１３は、基端部がヨロイＥに取り付けられている。本実施形態に係る付勢部材１３の基端部は、ロウ付けや接着材等によってヨロイＥに固定された形態とされているが、ネジ止めによって固定することも可能である。付勢部材１３は、先端部に係合部材１１をテンプルＴの回動方向に回動可能に挿通する挿通孔１３１を具備している。より具体的に説明すれば、テンプルＴの回動に伴い、テンプルＴに取り付けられた係合部材１１も回動することになるが、付勢部材１３の挿通孔１３１は、この係合部材１１の回動動作を妨げることのない寸法、すなわち回動動作によって係合部材１１が移動する範囲以上の寸法とされている。また、付勢部材１３は、先端部に係合部材１１の係合部１１１と係合する係止部１３２を具備している。より具体的に説明すれば、本実施形態に係る係止部１３２は、フック状の形態とされた係合部１１１と係合するように、付勢部材１３の先端に設けられた凹部とされている。付勢部材１３の先端部は、弾性部材１２の基端部に対してテンプルＴの回動方向内側で重なり合うように配置されている。より具体的に説明すれば、図１又は図２に示すように、テンプルＴをヨロイＥに対して普通に開いた状態において、付勢部材１３の先端部と弾性部材１２の基端部とが面接触し、弾性部材１２の弾性力が付勢部材１３に対して若干作用する状態に配置されている。
【００２２】
以上に説明したように、本実施形態に係る丁番構造１は、テンプルＴの基端部からテンプルＴの回動方向内側に向けて延設された係合部材１１が、ヨロイＥに取り付けられた付勢部材１３の挿通孔１３１に回動可能に挿通されると共に、係合部材１１（係合部材１１先端の係合部１１１）と付勢部材１３（付勢部材１３の係止部１３２）とが係合するように構成されている。従って、眼鏡フレーム１００のテンプルＴは、テンプルＴから延設された係合部材１１と、係合部材１１に係合する付勢部材１３とを介してヨロイＥに連結されることになる。そして、係合部材１１が付勢部材１３の挿通孔１３１に回動可能に挿通されるため、テンプルＴをヨロイＥに対して回動させることが可能である。
【００２３】
また、本実施形態に係る丁番構造１は、先端部がテンプルＴに取り付けられ、基端部に係合部材１１をテンプルＴの回動方向に回動可能に挿通する挿通孔１２１を具備すると共に、基端部がテンプルＴの回動方向内側に向けてテンプルＴから離間するように配置された弾性部材１２を備え、付勢部材１３の先端部が弾性部材１２の基端部に対してテンプルＴの回動方向内側で重なり合うように配置されている。換言すれば、本実施形態に係る丁番構造１は、テンプルＴの回動方向に沿って、テンプルＴと付勢部材１３との間に弾性部材１２が介在する構成となっている。従って、テンプルＴを普通に開いた状態から更に外側へ押し広げた場合、付勢部材１３によって弾性部材１２が外側へ押圧され、テンプルＴとの離間距離が短くなるように弾性部材１２が変形するため、弾性復元力（弾性力）が作用することになる。この弾性力により、テンプルＴは普通に開いた元の状態に戻ろうとする。
【００２４】
以下、図５を参照しつつ、丁番構造１の動作について、より具体的に説明する。図５は、テンプルＴの回動動作に伴う丁番構造１の状態を示す平面図であり、図５（ａ）はテンプルＴを普通に開いた状態を、図５（ｂ）はテンプルＴを普通に開いた状態から更に外側へ押し広げた状態を、図５（ｃ）はテンプルＴを普通に開いた状態から閉じようとしている状態を示す。
【００２５】
図５（ｂ）に示すように、テンプルＴを普通に開いた状態（図５（ａ））から更に外側へ押し広げた場合、テンプルＴ及び係合部材１１は、係合部材１１の係合部１１１と付勢部材１３の係止部１３２とが係合する係合点周りに回動する。この際、図５（ｂ）に示すように、弾性部材１２の基端部と付勢部材１３の先端部との面接触状態（図５（ａ））が崩れ、弾性部材１２の最も基端側の部位が付勢部材１３と接触し、付勢部材１３によって外側へ押圧されることになる。これにより、テンプルＴとの離間距離が短くなるように弾性部材１２が変形するため、弾性復元力（弾性力）が作用することになる。この弾性力により、テンプルＴは普通に開いた元の状態（図５（ａ））に戻ろうとする。
【００２６】
以上のように、本実施形態に係る丁番構造１によれば、部品点数の少ない簡素な構成（係合部材１１、弾性部材１２及び付勢部材１３で構成される）で、テンプルＴをヨロイＥに対して普通に開いた状態から更に外方へ押し広げる際に弾性力を作用させることが可能である。このため、弾性部材１２の弾性力に抗して外方へ無理なく押し広げた後に眼鏡フレーム１００を装着することができる一方、装着後には前記弾性力によってテンプルＴが眼鏡フレーム１００装着者の側頭部を適度に締め付けるため、確実な眼鏡フレーム１００の装着が可能になるという利点を有する。
【００２７】
なお、図５（ｃ）に示すように、テンプルＴを普通に開いた状態（図５（ａ））から閉じようとする場合についても、テンプルＴ及び係合部材１１は、係合部材１１の係合部１１１と付勢部材１３の係止部１３２とが係合する係合点周りに回動する。この際、図５（ｃ）に示すように、弾性部材１２の基端部と付勢部材１３の先端部との面接触状態（図５（ａ））が崩れ、弾性部材１２基端部の内、付勢部材１３の最も先端側の部位と接触する部位が、付勢部材１３によって外側へ押圧されることになる。これにより、テンプルＴとの離間距離が短くなるように弾性部材１２が変形するため、弾性復元力（弾性力）が作用することになる。この弾性力により、テンプルＴは普通に開いた元の状態（図５（ａ））に戻ろうとする。つまり、テンプルＴを普通に開いた状態から若干閉じようとした場合についても、弾性部材１２の弾性力が作用することにより、眼鏡フレーム１００装着者がテンプルＴから手を離せば、テンプルＴは普通に開いた状態に戻ることになる。換言すれば、テンプルＴを完全に閉じた状態からある程度開いた状態にしさえすれば、眼鏡フレーム１００装着者がテンプルＴから手を離したとしても、自動的に普通に開いた状態（図５（ａ））に至ることになる。
【００２８】
このように、本実施形態に係る丁番構造１は、テンプルＴをヨロイＥに対して普通に開いた状態から更に外方へ押し広げる際に弾性力が作用するのみならず、普通に開いた状態から閉じようとした際にも弾性力が作用する構成であるため、眼鏡フレーム１００の確実な装着を可能にするばかりでなく、一連の装着動作が容易になるという利点も有する。
【００２９】
なお、本実施形態に係る丁番構造１は、好ましい構成として、係合部材１１の係合部１１１と付勢部材１３の係止部１３２とが、着脱自在に係合する構成とされている。斯かる構成により、係合部材１１が延設されたテンプルＴを、付勢部材１３が取り付けられたヨロイＥから容易に着脱することができる。
【００３０】
図６は、本実施形態に係る眼鏡フレーム１００におけるテンプルＴの取り外し手順を説明する平面図である。テンプルＴを取り外す際には、先ず最初に、テンプルＴを普通に開いた状態（図６（ａ））から、テンプルＴを弾性部材１２の弾性力に抗して図６（ｂ）に示す矢符の方向に押し込み、係合部材１１の係合部１１１と付勢部材１３の係止部１３２（図６（ｂ）には便宜上図示せず）との係合状態を解除する。次に、図６（ｃ）に示すように、付勢部材１３の挿通孔１３１から係合部材１１を引き抜くことが可能となる位置まで、テンプルＴを上方に移動させる。最後に、図６（ｄ）に示すように、テンプルＴを矢符の方向に引き抜くことにより、テンプルＴ（及び係止部材１１、弾性部材１２）と付勢部材１３（及びヨロイＥ）との連結が解除され、テンプルＴを取り外すことが可能である。なお、テンプルＴを取り付ける（ヨロイＥと連結させる）際には、上記の逆の手順を実行すれば良い。
【００３１】
以上のように、本実施形態に係る丁番構造１は、係合部材１１の係合部１１１と付勢部材１３の係止部１３２とが、図６を参照して説明した手順によって、着脱自在に構成されており、これにより、係合部材１１が延設されたテンプルＴを付勢部材１３が取り付けられたヨロイＥから容易に着脱することができる。従って、予め各種の装飾が施されたテンプルＴを複数用意しておき、この中から、ＴＰＯに併せて好みのテンプルＴを選択して、容易に取り替えることができるという利点が得られる。
【図面の簡単な説明】
【００３２】
【図１】図１は、本考案の一実施形態に係る丁番構造を眼鏡フレームに取り付けた状態を示す平面である。
【図２】図２は、図１に示す丁番構造の近傍を拡大して示す平面図である。
【図３】図３は、図２に示す付勢部材の先端部を矢符Ｘの方向から見た図である。
【図４】図４は、図２に示す弾性部材の基端部を矢符Ｘの方向から見た図である。
【図５】図５は、図２に示すテンプルの回動動作に伴う丁番構造の状態を示す平面図である。
【図６】図６は、図２に示すテンプルの取り外し手順を説明する平面図である。
【符号の説明】
【００３３】
１・・・丁番構造
１１・・・係合部材
１２・・・弾性部材
１３・・・付勢部材
１００・・・眼鏡フレーム
１１１・・・係合部
１２１・・・挿通孔
１３１・・・挿通孔
１３２・・・係止部
E・・・ヨロイ
T・・・テンプル
【図１】
0003116327.tif 000003
【図２】
0003116327.tif 000004
【図３】
0003116327.tif 000005
【図４】
0003116327.tif 000006
【図５】
0003116327.tif 000007
【図６】
0003116327.tif 000008